(57)【要約】      （修正有）【課題】ロールフィルム・シュレッダーを提供する。【解決手段】箱型のキャビネット１、リーマー３、駆動装置４、トグル構造５を含み、キャビネットの内部にパーティション・プレート１１を設け、その内部がパーティション・プレートの頂縁側に作業室１２を形成し、パーティション・プレートの底縁側に収集室１３を形成すると共に、ドレン注ぎ口１１１を貫通し、作業室１２に支持部材１５を設け、支持部材１５がフィルムシートを支持・放置するために用いられる。各リーマー３がパーティション・プレートの頂縁に対称的に並列するように設けられ、且つドレン注ぎ口と互いに対向し、駆動装置４が各リーマーを駆動し、トグル構造５が各リーマーと互いに隣接し、各リーマーが各トグル構造を制動して作動し、トグル構造がヒンジカット押し退けを行った後に、廃棄物を収集室に落入し、ロールフィルムをヒンジカットした後の細長状の廃棄物を該リーマーに付着することを避ける。【選択図】図２
0003189228.tif 000002
【実用新案登録請求の範囲】
【請求項１】
一つのキャビネット、二つのリーマー、一つの駆動装置、二つのトグル構造を含む、ロールフィルム・シュレッダーであって、
キャビネットの内部には、横向きに一つのパーティション・プレートを設け、該キャビネットの内部は該パーティション・プレートの頂縁側に一つの作業室を形成し、該パーティション・プレートの底縁側に一つの収集室を形成し、該パーティション・プレートが一つのドレン注ぎ口を貫通し、該キャビネットに一つのカバー・プレートを自由に設け、該カバー・プレートは該作業室を開放するように用いられ、該作業室に少なくとも一つの支持部材を設け、該支持部材はロールフィルム状に巻き付けるロールフィルムを支持・放置するために用いられ、該キャビネットに一つのドア・ファンを自由に設け、該ドア・ファンは該収集室を開放・閉鎖するために用いられ、
各該リーマーは該パーティション・プレートの頂縁に対称的に並列するように設けられ、且つ各該リーマーは該ドレン注ぎ口と互いに対向し、各該リーマーはそれぞれロングロッド状で、且つ長軸方向に沿って複数個のカッター・プレートを軸着し、各該リーマーの互いのカッター・プレートは互いに交差し、
該駆動装置は一つのモーターと一つの伝動構造を有し、該モーターは該伝動構造により各該リーマーを相対的に回転するように駆動し、
各該トグル構造はそれぞれ各該リーマーと互いに隣接し、各該トグル構造は互いに対称にし、各該リーマーはそれぞれ各該トグル構造を制動して作動し、トグル構造は一つのアクチュエータ、複数個の揺動部材と一つのトグル制御器を含んでなり、該リーマーは該アクチュエータと連動して回転し、
該アクチュエータは主として一つのシャフトと二つのパドルから構成され、各該パドルはそれぞれ該シャフトの側方向に互いに接続し、該揺動部材は主として一つのリング、一つの接続部と二つの支持アームから構成され、該接続部は一端が該リングと互いに接続し、他端が各該支持アームと互いに接続し、該リングは該リーマーの中軸を嵌着し、且つ該リーマーの二つ毎の隣接する各該カッター・プレートが、それぞれ該各揺動部材のリングを挟着し、該各揺動部材の該接続部と該パドルが互いに隣接し、
該パドルは各該揺動部材を横向きにプッシュ・移動するために供し、これにより該各揺動部材を往復に揺動し、
該トグル制御器は主として一つのシャフトから複数枚のダイヤルを軸向に連結して構成され、各該ダイヤルの外周のラジアルに複数個の凸出部を外向きに突出し、該凸出部と該パドルが互いに隣接し、該パドルが該各ダイヤルをトグルして回転するために供し、該シャフトが各該揺動部材の各該支持アームの間に位置し、これにより、各該揺動部材のスイング幅を制限・停止することを特徴とする、ロールフィルム・シュレッダー。
【請求項２】
該トグル構造は、一つの第1のギアと一つの第2のギアを含んでなり、該第1のギアが該リーマーを軸支し、該第2のギアと該第1のギアが咬合し、該アクチュエータのシャフトが一つの第3のギアを軸支し、該第3のギアと該第2のギアが咬合し、これにより、該リーマーが該アクチュエータと連動して回転することを特徴とする、請求項１に記載のロールフィルム・シュレッダー。
【請求項３】
さらに一つの吸引装置を含んでなり、該収集室の底縁に一つのフィルター・プレートを設け、該フィルター・プレートは複数個のスルーホールを貫通し、該吸引装置は該フィルター・プレートの底端に設けられ、該吸引装置は換気扇で、該収集室の内部空気を抽出・吸引するために用いられ、廃棄物を吸引して該収集室に落入することを特徴とする、請求項１に記載のロールフィルム・シュレッダー。
【考案の詳細な説明】
【技術分野】
【０００１】
本考案は、ロールフィルム・シュレッダーに係り、特にロールフィルムとなるように巻き付けるフィルムシートを複数個の幅の狭い細長状の廃棄物にヒンジカットするために用いられる、ロールフィルム・シュレッダーに関する。
【背景技術】
【０００２】
ロールフィルム・シュレッダーは、フィルムシートを切断するために用いられる設備で、ロールフィルム・シュレッダーを利用し、各種のメッセージをダウンロードするフィルムシートを、複数個の幅の狭い細長状の廃棄物となるように切断し、フィルムシートに記載されるメッセージを、読み取ることができず、廃棄回収リサイクルの時にフィルムシートが情報を漏れる可能性を、避ける。
【０００３】
従来のロールフィルム・シュレッダーは、主として一つのキャビネット、一つのモーター、一つの伝動構造、二つのリーマーと一つの収集箱を含んでなり、その中でも、該キャビネットが各部材を位置決めして設置するために用いられ、該モーターが該伝動構造により該各リーマーを駆動して回転し、該各リーマーが該キャビネットの内部に並列するように設けられ、該収集箱が該キャビネットの内部に設けられ、且つ該各リーマーの下方に位置し、該収集箱の頂端が開口を形成して該各リーマーと互いに対向し、該各リーマーがそれぞれロングロッド状で且つ長軸方向に沿って複数個のカッター・プレートを並列して設け、該各リーマーの互いのカッター・プレートがその間に交差し、これにより、フィルムシートが一つのロールフィルムとなるように巻き付けて該キャビネット内へ置入し、且つフィルムシートを引き取って該各リーマー間へ入り込み、該各リーマーが相対的に回転する時に、該各リーマーのカッター・プレートがフィルムシートを相対的にヒンジカットし、且つフィルムシートを引き延ばして該各リーマーの間へ継続的に入り込み、これにより、フィルムシートを、複数本の幅の狭い細長状の廃棄物となるようにヒンジカットし、廃棄物が重力作用により該収集箱内に落入する。
【先行技術文献】
【特許文献】
【０００４】
【特許文献１】なし
【考案の概要】
【考案が解決しようとする課題】
【０００５】
本考案の目的は、トグル構造により、ヒンジカットした後の廃棄物を押し退け、廃棄物を収集室へ落入することができるロールフィルム・シュレッダーを提供することにある。
【０００６】
本考案の次の目的は、吸引装置により、ヒンジカットした後の廃棄物を吸引し、廃棄物を収集室へ落入する信頼性を、向上することができるロールフィルム・シュレッダーを提供することにある。
【課題を解決するための手段】
【０００７】
前述の考案の目的を達成できるロールフィルム・シュレッダーは、一つの箱型のキャビネット、二つのリーマー、一つの駆動装置と二つのトグル構造を含む。
該キャビネットの内部の横向きに一つのパーティション・プレートを設け、該キャビネットの内部が該パーティション・プレートの頂縁側に一つの作業室を形成し、該パーティション・プレートの底縁側に一つの収集室を形成する。該パーティション・プレートが一つのドレン注ぎ口を貫通し、該キャビネットが一つのカバー・プレートを自由に設け、該作業室を開放・閉鎖するように用いられ、該作業室が少なくとも一つの支持部材を設け、ロールフィルム状に巻き付けるフィルムシートを支持・放置するために用いられる。
該キャビネットが一つのドア・ファンを自由に設け、該収集室を開放・閉鎖するために用いられ、該各リーマーが該パーティション・プレートの頂縁に対称的に並列するように設けられ、且つ該各リーマーが該ドレン注ぎ口と互いに対向し、該各リーマーがそれぞれロングロッド状で、且つ長軸方向に沿って複数個のカッター・プレートを軸着し、該各リーマーの互いのカッター・プレートがその間に交差し、該駆動装置が一つのモーターと一つの伝動構造を有し、該モーターが該伝動構造により該各リーマーを相対的に回転するように駆動し、該各トグル構造がそれぞれ該各リーマーと互いに隣接し、該各トグル構造が互いに対称し、該各リーマーがそれぞれ該各トグル構造を制動して作動する。
該トグル構造が一つのアクチュエータ、複数個の揺動部材と一つのトグル制御器を含む。該リーマーが該アクチュエータと連動して回転し、該アクチュエータが主として一つのシャフトと二つのパドルから構成され、該各パドルがそれぞれ該シャフトの側方向に互いに接続する。
該揺動部材が主として一つのリング、一つの接続部と二つの支持アームから構成され、該接続部の一端が該リングと互いに接続し、他端が該各支持アームと互いに接続し、該リングが該リーマーの中軸を嵌着し、且つ該リーマーの二つ毎の隣接する該各カッター・プレートが、それぞれ該各揺動部材のリングを挟着し、該各揺動部材の該接続部と該パドルが互いに隣接し、該パドルが該各揺動部材を横向きにプッシュ・移動するために供する。
該各揺動部材を往復に揺動し、該トグル制御器が主として一つのシャフトから複数枚のダイヤルを軸向に連結して構成され、該各ダイヤルの外周のラジアルに複数個の凸出部を外向きに突出し、該凸出部と該パドルが互いに隣接し、該パドルが該各ダイヤルをトグルして回転するために供し、該シャフトが該各揺動部材の該各支持アームの間に位置し、これにより、該各揺動部材のスイング幅を制限・停止する。
【０００８】
例えば前述のロールフィルム・シュレッダーの通りで、その中でも、ひいては該トグル構造が、一つの第1のギアと一つの第2のギアを含んでなり、該第1のギアが該リーマーを軸支し、該第2のギアと該第1のギアが咬合し、該アクチュエータのシャフトが一つの第3のギアを軸支し、該第3のギアと該第2のギアが咬合し、これにより、該リーマーが該アクチュエータと連動して回転する。
【０００９】
例えば前述のロールフィルム・シュレッダーの通りで、ひいては一つの吸引装置を含んでなり、その中でも、該収集室の底縁に一つのフィルター・プレートを設け、該フィルター・プレートが複数個のスルーホールを貫通し、該吸引装置が該フィルター・プレートの底端に設けられ、該吸引装置が換気扇で、該収集室の内部空気を抽出・吸引するために用いられ、廃棄物を吸引して該収集室に落入する。
【００１０】
例えば前述のロールフィルム・シュレッダーの通りで、その中でも、該支持部材が二つのバッフルを自由に設け、該支持部材に置かれるフィルムシートの両側に対し、それぞれ制限・停止を生成するために用いられる。
【００１１】
例えば前述のロールフィルム・シュレッダーの通りで、その中でも、該パーティション・プレートが底縁側に一つのホッパを設け、該ホッパと該パーティション・プレートが該ドレン注ぎ口の周縁部分に互いに接続し、廃棄物の落入を導引するために用いられる。
【図面の簡単な説明】
【００１２】
【図１】本考案のロールフィルム・シュレッダーの斜視図である。
【図２】キャビネット内部の分解斜視模式図で、リーマー、駆動装置、トグル構造と吸引装置の相対的な構造を表示する。
【図３】キャビネット内部組合せの斜視模式図である。
【図４】キャビネット内部組合せの斜視模式図である。
【図５】該ロールフィルム・シュレッダーのリーマーとトグル構造部分の右正面図である。
【図６】該ロールフィルム・シュレッダーの右正面図である。
【図７】該リーマーとトグル構造の拡大図である。
【図８】該ロールフィルム・シュレッダーのリーマーとトグル構造部分の斜視図である。
【図９】該ロールフィルム・シュレッダーのアクチュエータの斜視図である。
【図１０】該ロールフィルム・シュレッダーの揺動部材の斜視図である。
【図１１】該ロールフィルム・シュレッダーのトグル機械の斜視図である。
【考案を実施するための形態】
【００１３】
図１ないし図３を参照する。本考案の提供するロールフィルム・シュレッダーは、主として一つの箱型のキャビネット1、一つの制御装置2、二つのリーマー3、一つの駆動装置4、二つのトグル構造5と二つの吸引装置6を含んでなり、その中でも、該キャビネット1が、該制御装置2、該各リーマー3、該駆動装置4、該トグル構造5と該吸引装置6などの各部分の素子を位置決めして設置するために用いられ、該制御装置2は、電子電気素子から構成され、該各リーマー3、該駆動装置4と該吸引装置6の作動を制御するように用いられ、該制御装置2が本考案の技術分野における人々により想到でき、従って該制御装置2の具体的な構造を詳しく叙述しない。該キャビネット1の内部の横向きに一つのパーティション・プレート11を設け、該キャビネット1の内部空間が該パーティション・プレート11の頂縁側に一つの作業室12を形成し、該パーティション・プレート11の底縁側に一つの収集室13を形成し、該パーティション・プレート11が一つのドレン注ぎ口111を貫通し、該ドレン注ぎ口111が該作業室12と該収集室13を連通するために用いられ、該キャビネット1の頂縁に一つのカバー・プレート14を設け、該作業室12を開放・閉鎖するために用いられ、該作業室12が少なくとも一つの支持部材15を設け、ロールフィルム状に巻き付けるフィルムシート（図示せず）を支持・放置するために用いられ、該支持部材15と該カバー・プレート14が隣接し、これにより、フィルムシートを該支持部材15に置き、該支持部材15が二つのバッフル16を自由に設け、該支持部材15に置かれるフィルムシートの両側に対し、それぞれ制限・停止を形成するために用いられ、これにより、フィルムシートを位置決めする。
【００１４】
該パーティション・プレート11が底縁側に一つのホッパ19を設け、該ホッパ19と該パーティション・プレート11が該ドレン注ぎ口111の周縁部分に互いに接続し、該各リーマー3が該パーティション・プレート11の頂縁に対称的に並列するように設けられ、且つ該各リーマー3が該ドレン注ぎ口111と互いに対向し、これにより、該各リーマー3がフィルムシートをヒンジカットして形成した細長状の廃棄物は、該ドレン注ぎ口111を通過して該収集室13に落入し、該ホッパ19が廃棄物の落入を導引するために用いられ、該キャビネット1が該収集室13の前縁側に一つのドア・ファン17を自由に設け、該収集室13を開放・閉鎖するために用いられる。
【００１５】
該収集室13の底縁に一つのフィルター・プレート18を設け、該フィルター・プレート18が複数個のスルーホール181を貫通し、該吸引装置6が該フィルター・プレート18の底端に設けられ、該吸引装置6が換気扇で、該収集室13の内部空気を抽出・吸引するために用いられ、該収集室13の内部に負圧を生成し、これにより、廃棄物を吸引して該収集室13に落入する。
【００１６】
例えば図４ないし図８に示すように、該各リーマー3がそれぞれロングロッド状で且つ長軸方向に沿って複数個のカッター・プレート31を並列状に設け、該各リーマー3の互いのカッター・プレート31がその間に交差し、該駆動装置4が一つのモーター41と一つの伝動構造（図示せず）を有し、該伝動構造が技術分野における人々の習熟する従来の技術と同じで、従って該伝動構造の具体的な構造を詳しく叙述しなく、該モーター41が該伝動構造により該各リーマー3を相対的に回転するように駆動し、これにより、該各リーマー3の間を通過するフィルムシートを相対的にヒンジカットする。
【００１７】
該各トグル構造5がそれぞれ該各リーマー3と互いに隣接し、該各トグル構造5が互いに対称し、該各リーマー3がそれぞれ該各トグル構造5を制動して作動し、該トグル構造5が、一つの第1のギア51、一つの第2のギア52、一つのアクチュエータ53、複数個の揺動部材54と一つのトグル制御器55を含んでなり、その中でも、該第1のギア51が該リーマー3の一端を軸支し、該第2のギア52と該第1のギア51が咬合する。
【００１８】
例えば図９に示すように、該アクチュエータが、主として一つのシャフト531、一つの第3のギア532と二つのパドル533から構成され、該シャフト531の一端が該第3のギア532を軸支し、該各パドル533がそれぞれ該シャフト531の側方向に互いに接続し、該第3のギア532と該第2のギア52が咬合し、これにより、該リーマー3が該第1のギア51と該第2のギア52により該アクチュエータ53と連動して回転する。
【００１９】
例えば図１０に示すように、該揺動部材54が主として一つのリング541、一つの接続部542と二つの支持アーム543から構成され、該接続部542の一端が該リング541と互いに接続し、他端が該各支持アーム543と互いに接続し、該リング541が該リーマー3の中軸を嵌着し、且つ該リーマー3の二つ毎の隣接する該各カッター・プレート31が、それぞれ該各揺動部材54のリング541を挟着し、これにより、該各揺動部材54が該リーマー3の回転に連れて回転・揺動し、該各揺動部材54の該接続部542と該アクチュエータ53の該パドル533が互いに隣接し、これにより、該パドル533が該各揺動部材54を横向きにプッシュ・移動するために供し、これにより、該リーマー3と該アクチュエータ53が回転する時に、該リーマー3と該各パドル533が該各揺動部材54を相対的に制動して該リーマー3の中軸を中心として往復に揺動する。
【００２０】
例えば図１１に示すように、該トグル制御器55が主として一つのシャフト551から複数枚のダイヤル552を軸向に連結して構成され、該各ダイヤル552の外周のラジアルに複数個の凸出部553を外向きに突出し、該凸出部553と該アクチュエータ53のパドル533が互いに隣接し、該パドル533が該各ダイヤル552をトグルして回転するために供し、該各揺動部材54がそれぞれ延伸して該各ダイヤル552と互いに隣接し、且つ該シャフト551が該各揺動部材54の該各支持アーム543の間に位置し、該シャフト551が該各揺動部材54のスイング幅を相対的に制限・停止する。
【００２１】
前述の実施例のヒンジカット処理による廃棄フィルムシートを使用する時に、該カバー・プレート14を開放し、ロールフィルム状に巻き付けるフィルムシートを該支持部材15に置き、該各バッフル16をそれぞれフィルムシートの両側に当接するように調整し、これにより、フィルムシートを位置決めし、ヒンジカット過程中にフィルムシートが横向きに摺動することを避け、その後にフィルムシートを引き取って該各リーマー3の間へ入り込み、且つ該カバー・プレート14を被覆して該作業室12を閉鎖し、その後に該制御装置2を操作して該駆動装置4を起動し、且つ該吸引装置6を稼動する。
【００２２】
該駆動装置4を稼動し且つ該各リーマー3を相対的に回転するように駆動する時に、該各リーマー3のカッター・プレート31が、フィルムシートを、複数本の幅の狭い細長状の廃棄物となるように相対的にヒンジカットし、且つフィルムシートを引き延ばして該各リーマー3の間へ継続的に入り込むが、該各リーマー3の回転が、それぞれ該各トグル構造5を制動して作動し、該各揺動部材54を往復に揺動し、該トグル制御器55が断続的に回転し、これにより、該各揺動部材54の接続部542と該トグル制御器55のダイヤル552が、それぞれヒンジカットして形成された廃棄物を押し退け、廃棄物を該リーマー3に付着しにくくなり、そして該ドレン注ぎ口111を通過して該収集室13に落入できる。
【００２３】
ひいては該吸引装置6は、運転して該収集室13の内部空気を抽出・吸引し、該各リーマー3が相対的にヒンジカットして生成した細長状の廃棄物は、吸引を受け、そして該ドレン注ぎ口111を通過して該収集室13に落入し、これにより、廃棄物を収集室13に落入する信頼性を、向上する。
【符号の説明】
【００２４】
1：キャビネット
2：制御装置
3：リーマー
4：駆動装置
5：トグル構造
6：吸引装置
11：パーティション・プレート
12：作業室
13：収集室
14：カバー・プレート
15：支持部材
16：バッフル
17：ドア・ファン
18：フィルター・プレート
19：ホッパ
31：カッター・プレート
41：モーター
51：第1のギア
52：第2のギア
53：アクチュエータ
54：揺動部材
55：トグル制御器
111：ドレン注ぎ口
181：スルーホール
531：シャフト
532：第3のギア
533：パドル
541：リング
542：接続部
543：支持アーム
551：シャフト
552：ダイヤル
553：凸出部
【図１】
0003189228.tif 000003
【図２】
0003189228.tif 000004
【図３】
0003189228.tif 000005
【図４】
0003189228.tif 000006
【図５】
0003189228.tif 000007
【図６】
0003189228.tif 000008
【図７】
0003189228.tif 000009
【図８】
0003189228.tif 000010
【図９】
0003189228.tif 000011
【図１０】
0003189228.tif 000012
【図１１】
0003189228.tif 000013